(57)【要約】【課題】再生光の照射によって光ディスクが劣化する可能性を低減できる光ディスク装置を提供する。【解決手段】レーザ駆動部１２で設定変更可能な駆動条件には、レーザ光源４１の発光パワーと、レーザ光源４１を発光させるレーザ駆動信号に重畳される高周波信号である重畳信号の振幅とのうち、少なくともいずれか一方が含まれ、制御部６は、再生信号の品質を評価可能な指標を取得できるように設けられるとともに、光ディスクＤの再生を開始する前に、発光パワーと重畳信号の振幅とのうち、少なくともいずれか一方の最適設定値を決定するように設けられ、再生信号の品質を評価可能な指標は、受光部４３から出力される信号を処理して得られ、最適設定値は、再生信号の品質を評価可能な指標に基づいて再生可能と判断されることを条件として、できるだけ小さな値となるように決定される。【選択図】図１
2012022748.tif 000002
【特許請求の範囲】
【請求項１】
レーザ光源から出射されたレーザ光を光ディスクに照射するとともに、該光ディスクで反射された戻り光を受光部で受光する光ピックアップと、
前記レーザ光源の駆動条件を調整して前記レーザ光源を駆動するレーザ駆動部と、
前記レーザ駆動部を制御する制御部と、を備える光ディスク装置において、
前記レーザ駆動部で設定変更可能な駆動条件には、前記レーザ光源の発光パワーと、前記レーザ光源を発光させるレーザ駆動信号に重畳される高周波信号である重畳信号の振幅とのうち、少なくともいずれか一方が含まれ、
前記制御部は、再生信号の品質を評価可能な指標を取得できるように設けられるとともに、光ディスクの再生を開始する前に、前記発光パワーと前記重畳信号の振幅とのうち、少なくともいずれか一方の最適設定値を決定するように設けられ、
前記再生信号の品質を評価可能な指標は、前記受光部から出力される信号を処理して得られ、
前記最適設定値は、前記再生信号の品質を評価可能な指標に基づいて再生可能と判断されることを条件として、できるだけ小さな値となるように決定されることを特徴とする光ディスク装置。
【請求項２】
前記制御部は、光ディスクの判別処理を行った後に前記最適設定値を決定する処理を実行することを特徴とする請求項１に記載の光ディスク装置。
【請求項３】
前記レーザ駆動部で設定変更可能な駆動条件には、前記発光パワーと前記重畳信号の振幅との両方が含まれ、
前記制御部は、前記発光パワーの前記最適設定値を決定した後に、前記重畳信号の振幅の前記最適設定値を決定することを特徴とする請求項１又は２に記載の光ディスク装置。
【請求項４】
前記レーザ駆動部で設定変更可能な駆動条件には前記重畳信号の振幅が含まれ、
前記制御部は、前記重畳信号の振幅の前記最適設定値を決定するように設けられるとともに、前記重畳信号の振幅の前記最適設定値を決定した後に、前記再生信号の品質を評価可能な指標を確認して、この確認結果に基づいて先に決定した前記重畳信号の振幅の前記最適設定値を変更する場合があることを特徴とする請求項１から３のいずれかに記載の光ディスク装置。
【請求項５】
前記制御部は、光ディスクの出し入れがあったか否かを判断し、光ディスクの出し入れがあったと判断した場合に前記最適設定値の決定処理を行い、前記光ディスクの出し入れがなかったと判断した場合には前記最適設定値の決定処理を行わないことを特徴とする請求項１から３のいずれかに記載の光ディスク装置。
【請求項６】
前記発光パワーと前記重畳信号の振幅との各初期設定値を記憶する記憶部を有し、
前記制御部は、前記初期設定値を基準に前記最適設定値を決定し、前記最適設定値を決定する毎にその値を前記記憶部に記憶するように設けられるとともに、記憶した複数の前記最適設定値に基づいて、前記発光パワーの初期設定値と前記重畳信号の振幅の初期設定値とのうちの少なくともいずれか一方を更新する場合があることを特徴とする請求項１から３のいずれかに記載の光ディスク装置。
【発明の詳細な説明】
【技術分野】
【０００１】
本発明は、光ディスクに記録される情報を再生することができる光ディスク装置に関する。
【背景技術】
【０００２】
従来、光ディスクを回転駆動して、光ディスクに記録される情報を再生する光ディスク装置が普及している。この光ディスク装置は、光ディスクにレーザ光を照射するとともに光ディスクで反射された戻り光（反射光）を受光部で検出する光ピックアップを備え、この光ピックアップを用いて光ディスクに記録される情報の読み取りを行うように構成されている。
【０００３】
このような光ディスク装置においては、光ディスクにレーザ光を照射して再生を行う場合に、光ディスクからの戻り光が光ピックアップに備えられるレーザ光源に戻ってノイズとなり、レーザ光源の発光パワーが不安定になることが知られている。このために、従来の光ディスク装置では、この戻り光ノイズを低減するために（レーザ光源の発光状態を安定させるために）、レーザ光源を駆動するための直流電流源に高周波信号を重畳してレーザ光源を発光させるように構成している（例えば、特許文献１、２参照）。
【先行技術文献】
【特許文献】
【０００４】
【特許文献１】特開２００３−８５８０４号公報
【特許文献２】特開平８−３３９５６６号公報
【発明の概要】
【発明が解決しようとする課題】
【０００５】
ところで、従来の光ディスク装置では、光ディスクの再生を行う際のレーザ光源の発光パワーや、レーザ光源を発光させるレーザ駆動信号に重畳される上述の高周波信号（以下、単に重畳信号という場合がある）の条件は予め決められた値に固定し、常に同じ条件で再生する構成となっている。なお、重畳信号の条件には、例えば振幅、周波数、スペクトラム拡散の変調周波数や拡散周波数等が含まれる。
【０００６】
光ディスクを再生する際の発光パワーが高いと、例えば光ディスクに誤って記録してしまったり、記録された情報を誤って消去してしまったりする可能性がある。換言すると、光ディスクを再生する際の発光パワーが高いと、光ディスクを劣化させてしまう可能性がある。このために、再生時の発光パワーは、再生信号の信号品質が悪くならない範囲で、できるだけ低いことが望まれる。
【０００７】
また、重畳信号の信号振幅（重畳信号振幅）が大きすぎると、発光パワーのピークレベルの上昇が原因となって光ディスクを劣化させてしまう可能性がある。また、重畳信号振幅が大きくなると、ＥＭＩ（Electro Magnetic Interference；電磁妨害波）の影響が懸念される。このために、光ディスクの再生を行うにあたっては、再生信号の信号品質が悪くならない範囲で、重畳信号振幅はできるだけ小さくすることが望まれる。
【０００８】
光ディスクの反射率には製造ばらつきがある。また、半導体レーザの種類（例えば、赤色用の半導体レーザや青色用の半導体レーザ等）によって、戻り光ノイズのレベルが異なる。これらのことを考慮すると、光ディスクの再生時における発光パワーや重畳信号振幅は従来のように固定値とするのではなく、再生する光ディスク毎に変更するのがより望ましいものと考えられる。
【０００９】
以上の点に鑑みて、本発明の目的は、再生光の照射によって光ディスクが劣化する可能性を低減できる光ディスク装置を提供することである。また、本発明の他の目的は、再生光の照射によって光ディスクが劣化する可能性を抑制しつつ、更にＥＭＩを極力低減できる光ディスク装置を提供することである。
【課題を解決するための手段】
【００１０】
上記目的を達成するために本発明は、レーザ光源から出射されたレーザ光を光ディスクに照射するとともに、該光ディスクで反射された戻り光を受光部で受光する光ピックアップと、前記レーザ光源の駆動条件を調整して前記レーザ光源を駆動するレーザ駆動部と、前記レーザ駆動部を制御する制御部と、を備える光ディスク装置において、前記レーザ駆動部で設定変更可能な駆動条件には、前記レーザ光源の発光パワーと、前記レーザ光源を発光させるレーザ駆動信号に重畳される高周波信号である重畳信号の振幅とのうち、少なくともいずれか一方が含まれ、前記制御部は、再生信号の品質を評価可能な指標を取得できるように設けられるとともに、光ディスクの再生を開始する前に、前記発光パワーと前記重畳信号の振幅とのうち、少なくともいずれか一方の最適設定値を決定するように設けられ、前記再生信号の品質を評価可能な指標は、前記受光部から出力される信号を処理して得られ、前記最適設定値は、前記再生信号の品質を評価可能な指標に基づいて再生可能と判断されることを条件として、できるだけ小さな値となるように決定されることを特徴としている。
【００１１】
本構成によれば、レーザ光源の発光パワーと、レーザ駆動信号に重畳される重畳信号（高周波信号）の振幅とのうち、少なくともいずれか一方について、光ディスクを再生可能な範囲でできるだけ小さな値（最適設定値）として、光ディスクの再生を開始するようになっている。このために、再生光の照射によって光ディスクが劣化する（誤って情報を記録したり消去したりする）可能性を低減できる。また、本構成において、高周波信号である重畳信号の振幅をできるだけ小さくする構成を採用する場合にはＥＭＩを極力低減できる。
【００１２】
なお、再生信号の品質を評価可能な指標としては、例えばＲＦ信号の信号レベル（振幅）、ジッタ、エラーレート等が挙げられる。そして、再生可能か否かの判断は、このような指標に対して予め決めておいた閾値レベルを基準に行えばよい。
【００１３】
上記構成の光ディスク装置において、前記制御部は、光ディスクの判別処理を行った後に前記最適設定値を決定する処理を実行することとしてもよい。光ディスク装置は、複数の光ディスクに対応するものが多く、このような場合には先に光ディスクの種類を判別してから発光パワーや重畳信号振幅の最適設定値を決定する必要がある。
【００１４】
上記構成の光ディスク装置において、前記レーザ駆動部で設定変更可能な駆動条件には、前記発光パワーと前記重畳信号の振幅との両方が含まれ、前記制御部は、前記発光パワーの前記最適設定値を決定した後に、前記重畳信号の振幅の前記最適設定値を決定することとしてもよい。
【００１５】
上記構成の光ディスク装置において、前記レーザ駆動部で設定変更可能な駆動条件には前記重畳信号の振幅が含まれ、前記制御部は、前記重畳信号の振幅の前記最適設定値を決定するように設けられるとともに、前記重畳信号の振幅の前記最適設定値を決定した後に、前記再生信号の品質を評価可能な指標を確認して、この確認結果に基づいて先に決定した前記重畳信号の振幅の前記最適設定値を変更する場合があることとしてもよい。例えば時間経過（温度条件の変化）によって、先に決定した重畳信号振幅の設定値が最適設定値からずれることがあるのを考慮するものである。
【００１６】
上記構成の光ディスク装置において、前記制御部は、光ディスクの出し入れがあったか否かを判断し、光ディスクの出し入れがあったと判断した場合に前記最適設定値の決定処理を行い、前記光ディスクの出し入れがなかったと判断した場合には前記最適設定値の決定処理を行わないこととしてもよい。光ディスクの変更がない場合には、発光パワーや重畳信号振幅の最適設定値を改めて決定せず、先に決定した値を用いるようにしてもよいことを考慮するものであり、このような構成を採用することで、光ディスクの再生開始までに要する時間の短縮化が可能となる。
【００１７】
上記構成の光ディスク装置において、前記発光パワーと前記重畳信号の振幅との各初期設定値を記憶する記憶部を有し、前記制御部は、前記初期設定値を基準に前記最適設定値を決定し、前記最適設定値を決定する毎にその値を前記記憶部に記憶するように設けられるとともに、記憶した複数の前記最適設定値に基づいて、前記発光パワーの初期設定値と前記重畳信号の振幅の初期設定値とのうちの少なくともいずれか一方を更新する場合があることとしてもよい。本構成によれば、光ディスク装置の使用回数が増えるにつれて、記憶部に記憶される初期設定値と毎回決定される最適設定値との差が小さくなることを期待できる。このため、光ディスク装置をある程度使用した後は、発光パワーや重畳信号振幅の最適設定値を決定するために要する時間の短縮化が期待できる。
【発明の効果】
【００１８】
本発明によれば、再生光の照射によって光ディスクが劣化する可能性を低減できる光ディスク装置を提供できる。また、本発明によれば、再生光の照射によって光ディスクが劣化する可能性を抑制しつつ、更にＥＭＩを極力低減できる光ディスク装置を提供できる。
【図面の簡単な説明】
【００１９】
【図１】第１実施形態の光ディスク装置の構成を示すブロック図
【図２】第１実施形態の光ディスク装置に備えられる光ピックアップについて説明するための平面図
【図３】第１実施形態の光ディスク装置において再生開始前に実行される、発光パワー及び重畳信号振幅の調整フローを示すフローチャート
【図４】第２実施形態の光ディスク装置の特徴的な構成を説明するためのフローチャート
【図５】第３実施形態の光ディスク装置の特徴的な構成を説明するためのフローチャート
【図６】本発明の変形例を説明するためのフローチャートで、発光パワーについてのみ最適設定値を決定する処理が行われる場合の一例を示すフローチャート
【図７】本発明の変形例を説明するためのフローチャートで、重畳信号振幅についてのみ最適設定値を決定する処理が行われる場合の一例を示すフローチャート
【発明を実施するための形態】
【００２０】
以下、本発明の光ディスク装置の実施形態について、図面を参照しながら詳細に説明する。
【００２１】
（第１実施形態）
図１は、第１実施形態の光ディスク装置の構成を示すブロック図である。図２は、第１実施形態の光ディスク装置に備えられる光ピックアップについて説明するための平面図である。なお、図２には光ディスクＤを破線で示しているが、この光ディスクＤは光ピックアップ４の上部（図２において、紙面手前側）に位置している。
【００２２】
図１に示すように、第１実施形態の光ディスク装置１はスピンドルモータ２を有する。このスピンドルモータ２は、その出力軸２ａが光ディスクＤを着脱自在に保持するターンテーブル３（図２参照）に連結されている。このため、スピンドルモータ２を駆動させることによって、ターンテーブル３に保持された光ディスクＤを回転させることができる。このスピンドルモータ２の駆動制御は、スピンドルモータ駆動回路１１を用いて行われる。
【００２３】
また、光ディスク装置１には、光ディスクＤに記録される情報を読み取るために用いられる光ピックアップ４が備えられる。この光ピックアップ４は、例えばレーザダイオードからなるレーザ光源４１を有する。本実施形態の光ディスク装置１は、複数種類の光ディスク（例えばＢＤ（Blu-ray Disc）、ＤＶＤ（Digital Versatile Disc）、ＣＤ（Compact Disc））に対応可能となっており、各種の光ディスクに対応した波長のレーザ光を出射可能となっている。
【００２４】
このような構成は、光ピックアップ４が単一波長帯のレーザ光を出射するレーザ光源を複数有することで実現してもよい。また、別例として、光ピックアップ４が複数波長帯のレーザ光を出射するレーザ光源（ハイブリッドタイプやモノリシックタイプのものが挙げられる）を１つのみ備えることで実現してもよい。更に、別例として、光ピックアップ４が、単一波長帯のレーザ光を出射するレーザ光源と、複数波長帯のレーザ光を出射するレーザ光源とを有する構成とすることで実現してもよい。
【００２５】
光ピックアップ４が有する光源の駆動制御は、例えばＬＤＤ（Laser Diode Driver）のようなＩＣ（Integrated Circuit）からなるレーザ駆動回路１２（以下、ＬＤＤ１２と表現する場合がある）を用いて行われる。レーザ駆動回路１２は、本発明のレーザ駆動部の実施形態である。
【００２６】
ＬＤＤ１２は、レーザ光源４１から出射されるレーザ光の発光パワー（発光パワー値）を調整可能（設定変更可能）に設けられている。また、ＬＤＤ１２は、上述した戻り光ノイズを低減すべく、レーザ光源４１を駆動するための直流電流源に高周波信号（重畳信号）を重畳できるように設けられている。重畳信号の条件（例えば振幅、周波数、スペクトラム拡散の変調周波数や拡散周波数等）についても、ＬＤＤ１２は調整可能（設定変更可能）に設けられている。
【００２７】
なお、ＬＤＤ１２は、発光パワーについて、フロントモニタ或いはバックモニタ（図示せず）を用いたＡＰＣ（Automatic Power Control；自動パワー制御）により、設定された一定パワーとなるように制御する。
【００２８】
また、光ピックアップ４は、レーザ光源４１から出射されたレーザ光を光ディスクＤの情報記録面ＲＳ（図１参照）に集光する対物レンズ４２を備えている。この対物レンズ４２は、公知の構成を有する対物レンズアクチュエータ５によって、フォーカス方向及びトラッキング方向に移動可能となっている。なお、対物レンズアクチュエータ５によって、対物レンズ４２をチルト方向に移動可能としてもよい。
【００２９】
ここで、フォーカス方向とは、光ディスクＤの情報記録面ＲＳに略直交する方向である。また、トラッキング方向とは光ディスクＤの半径方向（ラジアル方向）に略平行な方向である。また、チルト方向とは、フォーカス方向とトラッキング方向とに直交する軸の軸周り方向である。対物レンズアクチュエータ５の駆動制御は、対物レンズアクチュエータ駆動回路１７を用いて行われる。
【００３０】
また、光ピックアップ４は、情報記録面ＲＳで反射された戻り光（反射光）を受光する受光部４３を備えている。受光部４３は、受光した光信号を電気信号に変換する光電変換手段として機能する。ＲＦ信号生成回路１４は、受光部４３から出力された信号に基づいてＲＦ信号を生成するとともに、生成されたＲＦ信号を制御装置６へと出力する。また、ＦＥ信号生成回路１５は、受光部４３から出力された信号に基づいて例えば非点収差法等の公知の手法によってフォーカスエラー信号（ＦＥ信号）を生成するとともに、生成されたＦＥ信号を制御装置６へと出力する。また、ＴＥ信号生成回路１６は、受光部４３から出力された信号に基づいて例えばＰＰ（Push-Pull）法やＤＰＰ（Differential Push-Pull）法等の公知の手法によってトラッキングエラー信号（ＴＥ信号）を生成するとともに、生成されたＴＥ信号を制御装置６へと出力する。
【００３１】
なお、光ピックアップ４には、その他の各種のレンズや収差を補正するための収差補正手段等が適宜設けられている。また、光ピックアップ４は１つの対物レンズ４２のみを有する構成としているが、本発明の適用範囲はこの構成に限定される趣旨ではない。すなわち、光ピックアップが、光ディスクＤの種類によって使い分けられる複数の対物レンズを有する構成としても勿論構わない。
【００３２】
このように構成される光ピックアップ４は、光ディスクＤの半径方向（ラジアル方向）と略平行な方向に延びる２本のガイドレール１０（図２参照）に沿って摺動可能となっている。また、光ピックアップ４のラジアル方向への移動は、スレッドモータ駆動回路１３によって制御される図示しないスレッドモータの駆動によって可能となっている。これにより、光ピックアップ４はラジアル方向に自在に移動し、光ディスクＤの任意のアドレスに適宜アクセス可能となっている。
【００３３】
制御装置６はマイクロコンピュータによって構成され、光ディスク装置１を構成する各部を適宜制御し、また、制御に必要となる演算処理を適宜実行する。制御装置６はＲＯＭ６１１（Read Only Memory）及びＲＡＭ６１２（Random Access Memory）からなる記憶部６１を備える。ＲＯＭ６１１には、制御装置６が各種処理を行う上で必要となる各種のパラメータや動作プラグラムが記憶されている。ＲＡＭ６１２はワーク領域として用いられ、また、各種情報の格納領域とされる。
【００３４】
制御装置６には再生処理部６２が含まれる。この再生処理部６２は、ＲＦ信号生成回路１４から送られてきたＲＦ信号を処理してデータの復調を行うとともに、データのエラーを検出し、エラーが検出された場合において訂正可能であればデータの訂正処理を行う。得られた再生データはインターフェース７を介して外部に出力される。なお、再生処理部６２はデータの読み取りエラーの発生割合であるエラーレートを取得する役割も果たす。
【００３５】
制御装置６にはサーボ処理部６３が含まれる。このサーボ処理部６３は、フォーカスサーボ制御を行うためにＦＥ信号に基づいてフォーカスドライブ信号を生成したり、トラッキングサーボ制御を行うためにＴＥ信号に基づいてトラッキングドライブ信号を生成したりする。制御装置６は、得られたフォーカスドライブ信号及びトラッキングドライブ信号によって、対物レンズアクチュエータ駆動回路１７を介して対物レンズアクチュエータ５を制御しサーボ制御に必要な動作を実行させる。また、サーボ処理部６３は、光ピックアップ４をラジアル方向に移動させるために用いられるスレッドモータを駆動するための制御信号も生成する。制御装置６は、生成された制御信号によってスレッドモータ駆動回路１３を介してスレッドモータを制御する。
【００３６】
制御装置６にはディスク判別部６４が含まれる。光ディスク装置１は、上述のように複数種類の光ディスクに対応可能となっている。光ディスクの種類によって情報の再生を行う際の条件（例えば、レーザ光の波長等）が異なるために、光ディスク装置１は再生を行う前に光ディスクの種類を判別するように設けられている。ディスク判別部６４によって実行される光ディスクの判別処理は公知の方法を用いるものであるため、ここでは、その詳細は省略する。
【００３７】
制御装置６には信号品質評価部６５が含まれる。信号品質評価部６５は、再生信号の品質を評価な指標を取得・評価して、例えば、光ディスク装置１に挿入された光ディスクＤ（ターンテーブル３に取り付けられた光ディスクＤ）が再生可能なレベルか否かを判断する処理を実行する。再生信号の品質を評価可能な指標としては、例えばＲＦ信号の信号レベル（振幅）、ジッタ、エラーレート等が挙げられる。
【００３８】
第１実施形態の光ディスク装置１の全体構成は以上のようである。この光ディスク装置１は、レーザ光源４１の発光パワーと、レーザ光源４１の発光状態を安定させる（戻り光ノイズを低減する）ために入力される重畳信号の振幅と、を最適条件（最適設定値）としたうえで、再生を開始する点に特徴を有する。そして、この特徴的な構成のために、レーザ光源４１から出射されるレーザ光を安定させつつ、光ディスクＤの再生光による劣化の抑制と、ＥＭＩ（による悪影響）の低減が可能となっている。以下、この特徴点について説明する。
【００３９】
図３は、第１実施形態の光ディスク装置において再生開始前に実行される、発光パワー及び重畳信号振幅の調整フローを示すフローチャートである。光ディスク装置１に光ディスクＤが挿入されると、制御装置６は、ディスク判別部６４によって光ディスクＤに挿入された光ディスクＤの種類を判別する処理を行う（ステップＳ１）。光ディスクＤの種類を判別するにあたっては、光ピックアップ４のレーザ光源４１から光ディスクＤにレーザ光が適宜出射される。この際のレーザ光源４１の発光パワーは予め記憶部６１に記憶されたパワーが使用される。この発光パワーは、光ディスクＤの情報を消去しないように決定されている。
【００４０】
光ディスクＤの種類が判別されると、制御装置６は光ディスクＤの種類に応じて記憶部６１からレーザ駆動条件の初期設定値を読み出し、読み出した条件にしたがってレーザ駆動回路（ＬＤＤ）１２を制御し、レーザ光源４１を発光させる（ステップＳ２）。レーザ駆動条件には、発光パワー及び重畳信号振幅が含まれる。なお、ここで読み出される発光パワーの初期設定値は、ディスク判別時に用いた発光パワーと同一の設定値としてもよいし、異なる設定値としてもよい。ただし、この場合の発光パワーも光ディスクＤの情報を消去しないレベルとなるようにその値が設定されている。
【００４１】
レーザ光源４１を発光させると、制御装置６はサーボ制御を開始させ、光ディスクＤの再生が可能か否かを判断する（ステップＳ３）。再生可能か否かの判断は、信号品質評価部６５で再生信号の品質を評価可能な指標（例えばＲＦ信号の信号レベル、ジッタ、エラーレート等）を取得・評価することによって行われる。より具体的には、例えば、記憶部６１に予め閾値レベルを記憶させておき、取得した指標のレベルが閾値レベルより良好である場合には再生可能と判断し、そうでない場合には再生不能と判断するといった構成が挙げられる。
【００４２】
なお、この段階で再生不能と判断される場合（ステップＳ３でＮｏ）には、光ディスクＤに問題がある可能性が高いために、例えば再生中止とするようにしてもよい。再生中止の場合は、例えばエラー表示や光ディスクＤのエジェクト等を行うようにしてもよい。また、この段階で再生不能と判断される場合に、即座に再生中止とせずに、例えば光ディスクＤの判別や再生可能か否かの判断を再度行うようにしてもよい。
【００４３】
光ディスクＤの再生が可能であると判断された場合（ステップＳ３でＹｅｓ）には、制御装置６はＬＤＤ１２に発光パワーの設定値を初期設定値よりも所定量だけ下げるように指示する（ステップＳ４）。ここでいう所定量は、光ディスク装置１の設計段階で適宜決定すればよい。下げ幅が小さすぎると発光パワーの最適設定値を決定するために要する時間が長くなりすぎる。一方、下げ幅が大きすぎると、目的（再生可能であるという条件を満たしつつ、できるだけ発光パワーを小さくする）とする発光パワーの最適設定値が適切に得られない可能性がある。このような点を考慮して、上記所定量を決定する必要がある。
【００４４】
発光パワーの設定値を下げると、制御装置６は光ディスクＤの再生が不可能であるか否かを判断する処理を行う（ステップＳ５）。再生不能であるか否かの判断は、信号品質評価部６５で再生信号の品質を評価可能とする指標（例えばＲＦ信号の信号レベル、ジッタ、エラーレート等）を取得・評価することによって行えばよい。
【００４５】
この段階で再生不能と判断された場合（ステップＳ５でＹｅｓ）には、直前の発光パワーの設定値より発光パワーの設定値を下げるのは好ましくないと判断されるために、制御装置６は発光パワーの最適設定値が直前の発光パワーの設定値である（すなわち発光パワーの最適設定値が初期設定値である）と決定し、発光パワーの設定を直前の値に戻すようにＬＤＤ１２に指示する（ステップＳ６）。
【００４６】
一方、再生可能と判断された場合（ステップＳ５でＮｏ）には、制御装置６はＬＤＤ１２に発光パワーの設定値を更に所定量だけ下げるように指示する（ステップＳ７）。この場合の所定量はステップＳ４における所定量と同じでもよいが、場合によっては異ならせてもよい。発光パワーの設定値を更に下げた場合には、ステップＳ５に戻って再度、制御装置６は光ディスクＤの再生が不可能であるか否かを判断する。再生可能と判断された場合には、更にステップＳ７とステップＳ５を繰り返すことになる。一方、再生不能と判断された場合は、制御装置６は直前の設定値を発光パワーの最適設定値と決定し、発光パワーの設定を直前の値に戻すようにＬＤＤ１２に指示する。
【００４７】
発光パワーの最適設定値が決定されて発光パワーが最適設定値に設定されると、次に制御装置６は、ＬＤＤ１２に重畳信号振幅の設定値を初期設定値よりも所定量だけ下げるように指示する（ステップＳ８）。ここでいう所定量は、光ディスク装置１の設計段階で適宜決定すればよい。下げ幅が小さすぎると重畳信号振幅の最適設定値を決定するために要する時間が長くなりすぎる。一方、下げ幅が大きすぎると、目的（再生可能であるという条件を満たしつつ、できるだけ重畳信号振幅を小さくする）とする重畳信号振幅の最適設定値が適切に得られない可能性がある。このような点を考慮して、上記所定量を決定する必要がある。
【００４８】
重畳信号振幅の設定値を下げると、制御装置６は光ディスクＤの再生が不可能であるか否かを判断する（ステップＳ９）。再生不能であるか否かの判断は、ステップＳ５と同様に行えばよい。この段階で再生不能と判断された場合（ステップＳ９でＹｅｓ）には、直前の重畳信号振幅の設定値より重畳信号振幅の設定値を下げるのは好ましくないと判断されるために、制御装置６は重畳信号振幅の最適設定値が直前の重畳信号振幅の設定値である（すなわち重畳信号振幅の最適設定値が初期設定値である）と決定し、重畳信号振幅の設定を直前の値に戻すようにＬＤＤ１２に指示する（ステップＳ１０）。
【００４９】
一方、再生可能と判断された場合（ステップＳ９でＮｏ）には、制御装置６はＬＤＤ１２に重畳信号振幅の設定値を更に所定量だけ下げるように指示する（ステップＳ１１）。この場合の所定量はステップＳ８における所定量と同じでもよいが、場合によっては異ならせてもよい。重畳信号振幅の設定値を更に下げた場合には、ステップＳ９に戻って再度、制御装置６は光ディスクＤの再生が不可能であるか否かを判断する。再生可能と判断された場合には、更にステップＳ１１とステップＳ９を繰り返すことになる。一方、再生不能と判断された場合は、制御装置６は直前の設定値を重畳信号振幅の最適設定値と決定し、重畳信号振幅の設定を直前の値に戻すようにＬＤＤ１２に指示する。
【００５０】
以上のように、レーザ光源４１の駆動条件に含まれる、発光パワーと重畳信号振幅の最適設定値を決定すると、その他の必要な調整（例えば対物レンズのチルト調整、可動レンズのレンズ位置調整等）を行って、制御装置６は光ディスクＤの再生動作を開始する。なお、前述のその他の必要な調整は発光パワー及び重畳信号振幅の最適設定値を決定する前に行っても構わない。
【００５１】
第１実施形態の光ディスク装置１は、光ディスクＤを再生可能なレベルであることを条件として、発光パワー及び重畳信号振幅の設置値をできるだけ小さい値（最適設定値）に設定して、光ディスクの再生を行うようになっている。このために、発光パワーや重畳信号振幅が必要以上に大きく設定されて光ディスクＤを劣化させる（例えば不要な記録を行ったり、記録情報を消去してしまったりする等）といった事態を抑制できる。また、重畳信号振幅をできるだけ小さく設定しているのでＥＭＩを極力低減することが可能である。
【００５２】
なお、以上の説明においては、光ディスクＤを再生するにあたって、光ディスク装置１に光ディスクＤが挿入されることを前提条件とした。しかし、光ディスクＤが装置内に挿入されたまま電源がオフされ、その後、電源がオンされて光ディスクＤの再生が行われる場合がある。このような場合においても、制御装置６によって装置内に挿入されている光ディスクＤの種類が判別された後であって再生が開始されるまでの間に、発光パワー及び重畳信号振幅の最適設定値を上記と同様の手順で決定するようにしてもよい。
【００５３】
ただし、再生までの時間を短縮する目的で、光ディスクＤの出し入れがなかったと判断される場合には、発光パワー及び重畳信号振幅の最適設定値を決定する処理を省略し、先に（電源をオフする前）に決定した最適設定値を使用するようにしてもよい。この場合には、先に決定した最適設定値を後に読み出せるように、最適設定値を決定した段階で記憶部６１にその値を記憶させておく等の処理が必要となる。また、光ディスクＤの出し入れがあったか否かを確認できるように、例えば光ディスクＤの出し入れ情報についても記憶部６１に記憶させておく必要がある。
【００５４】
（第２実施形態）
次に、第２実施形態の光ディスク装置の構成について説明する。第２実施形態の光ディスク装置は、大部分の構成が第１実施形態の光ディスク装置１と同様である。このために、第１実施形態の光ディスク装置１と異なる点に絞って説明する。説明にあたって、第１実施形態の光ディスク装置１と重複する部分については同一の符号を付して説明する。
【００５５】
第１実施形態の光ディスク装置１では、発光パワー及び重畳信号振幅の最適設定値を一度決定すると、その後、決定した最適設定値を変更（修正）することはなかった。しかしながら、その後の使用（再生）等によって、先に最適設定値を決定した際と温度条件が異なる等の影響で、先に決定した重畳信号振幅の最適設定値が本来の最適設定値からずれて、再生信号の品質が劣化する場合がある。このような品質劣化を補正すべく、第２実施形態の光ディスク装置では、図４のような処理が行われる。
【００５６】
図４は、第２実施形態の光ディスク装置の特徴的な構成を説明するためのフローチャートである。なお、発光パワーについては、ＡＰＣによって制御するために、上述したような温度条件の変動に伴う最適設定値の補正は不要である。このため、第２実施形態の光ディスク装置では、重畳信号振幅の最適設定値についてのみ補正を行うことにしている。
【００５７】
図４に示すように、第２実施形態の光ディスク装置では、光ディスクＤの再生開始前に、発光パワー及び重畳信号振幅の最適設定値を一旦決定（この最適設定値の決定処理は第１実施形態の図３と同様である）した後に、所定時間が経過したか否かを監視する（ステップＳ２１）。
【００５８】
そして、所定時間を経過した場合には、制御装置６は、信号品質評価部６５において再生信号の品質レベルが適切なレベルであるか否かを判断する（ステップＳ２２）。再生信号の品質が適切なレベルであるか否かは、再生信号の品質を評価可能とする指標（例えばＲＦ信号の信号レベル、ジッタ、エラーレート等）を取得・評価して判断される。より具体的には、例えば、記憶部６１に予め閾値レベルを記憶させておき、取得した指標のレベルが閾値レベルより良好である場合には再生信号の品質が適切なレベルであると判断し、そうでない場合には再生信号の品質が適切なレベルでないと判断する。
【００５９】
再生信号の品質レベルが適切であると判断した場合（ステップＳ２２でＹｅｓ）には、重畳信号振幅の最適設定値の補正は行わない。一方、再生信号の品質が適切なレベルでないと判断された場合（ステップＳ２２でＮｏ）には、制御装置６はＬＤＤ１２に、重畳信号振幅の設定値を現在の設定値（先に最適設定値とされたもの）から所定量だけ上げるように指示する（ステップＳ２３）。
【００６０】
重畳信号振幅の設定値が上げられると、制御装置６は、再度、信号品質評価部６５において再生信号の品質レベルが適切なレベルであるか否かを判断する（ステップＳ２４）。再生信号の品質レベルが適切であると判断した場合（ステップＳ２４でＹｅｓ）には、重畳信号振幅の最適設定値は現在の設定値であると決定する（ステップＳ２５）。すなわち、先に決定された重畳信号振幅の最適設定値を補正（変更）する。
【００６１】
一方、再生信号の品質が適切なレベルでないと判断された場合（ステップＳ２４でＮｏ）には、制御装置６はＬＤＤ１２に、重畳信号振幅の設定値を現在の設定値から更に所定量だけ上げるように指示する（ステップＳ２６）。そして、再生信号の品質が適切なレベルであると判断されるまで、ステップＳ２４及びステップＳ２６を繰り返す。再生信号の品質が適切なレベルであると判断されると、その時点の設定値を最適設定値と決定し、先に決定された最適設定値の補正を行う。
【００６２】
なお、本実施形態では、所定時間が経過した時点で１回のみ再生信号の品質が適切なレベルであるか否かを確認する構成としているが、複数回確認するように構成しても構わない。また、時間の経過によって重畳信号振幅の最適設定値を補正するか否かを判断するのではなく、光ディスク装置内の温度変化量を基準に重畳信号振幅の最適設定値を補正するか否かを判断するようにしても構わない。また、最初に重畳信号振幅の最適設定値を決定した後において、制御装置６によって再生信号の品質が適切なレベルであるか否かを監視するように構成し、適切なレベルでなくなった時点で適宜、重畳信号振幅の最適設定値を補正する構成としても構わない。
【００６３】
（第３実施形態）
次に、第３実施形態の光ディスク装置の構成について説明する。第３実施形態の光ディスク装置は、大部分の構成が第１実施形態の光ディスク装置１と同様である。このために、第１実施形態の光ディスク装置１と異なる点に絞って説明する。説明にあたって、第１実施形態の光ディスク装置１と重複する部分については同一の符号を付して説明する。
【００６４】
第１実施形態の光ディスク装置１では、発光パワー及び重畳信号振幅の最適設定値を決定する際に、発光パワー及び重畳信号振幅の設定を予め記憶部６１に記憶される初期設定値とし、それを基準に最適設定値を決定する構成とした。この初期設定値は、その後に決定される最適設定値との差が大きいと再生までに要する時間が長くなってしまうために、最適設定値との差が小さいのが好ましい。このため、光ディスク装置の製造段階ではそのような値となるように初期設定値を決定している。しかしながら、製造ばらつきや使用状況等が原因となって、実際の使用時には初期設定値と最適設定値との差が大きく、最適設定値の決定までに時間を要し、ユーザが使い勝手が悪いと感じる場合を発生し得る。第３実施形態の光ディスク装置は、そのような問題点を解消できるように構成されている。
【００６５】
図５は、第３実施形態の光ディスク装置の特徴的な構成を説明するためのフローチャートである。図５に示すように、第３実施形態の光ディスク装置では、光ディスクＤの再生開始前に、発光パワー及び重畳信号振幅の最適設定値を決定すると（この決定処理は第１実施形態の図３と同様に行われる）、制御装置６は決定された最適設定値を記憶部６１に記憶する処理を行う（ステップＳ３１）。
【００６６】
この際、制御装置６は、これまでに記憶部６１に記憶された最適設定値の数（記憶数）が所定数以上であるか否かを確認する（ステップＳ３２）。記憶部６１への記憶数が予め定めた所定数より多い場合（ステップＳ３２でＹｅｓ）には、制御装置６１はこれまでに記憶された最適設定値の平均を算出する処理を行う（ステップＳ３３）。この平均値の算出は、発光パワー及び重畳信号振幅のそれぞれについて行われる。
【００６７】
そして、制御装置６は、求めた平均値と初期設定値との差（絶対値として求められる）が所定の範囲外であるか否かを確認する処理を行う（ステップＳ３４）。この確認処理は、発光パワー及び重畳信号振幅のそれぞれについて行われる。ここでは、所定の範囲外とは、絶対値として求められた差が、予め設定された所定の閾値以上であることを指す。また、所定の範囲内とは、所定の閾値よりも小さい場合を指す。
【００６８】
求めた平均値と初期設定値との差が所定の範囲外である場合（ステップＳ３４でＹｅｓ）には、制御装置６は初期設定値を求めた平均値に変更する（更新する）処理を行う（ステップＳ３５）。一方、求めた平均値と初期設定値との差が所定の範囲内である場合（ステップＳ３４でＮｏ）には、制御装置６は初期値の更新を行うことなく作業を終了する。
【００６９】
なお、記憶部６１への記憶数が予め定めた所定数より少ない場合（ステップＳ３２でＮｏ）には、初期値の更新を行うことなく作業を終了することとしている。これは、少数の実績のみで初期設定値の更新を行うと、却って初期設定値を最適設定値から大きくずれた値としてしまう可能性があるからである。
【００７０】
以上のような過去の実績に基づく初期値の更新機能（学習機能）により、第３実施形態の光ディスク装置では、発光パワー及び重畳信号振幅の最適設定値を決定するまでに要する時間の短縮化が期待できる。
【００７１】
（その他）
以上に示した実施形態は本発明の光ディスク装置の例示であり、本発明の光ディスク装置は以上に示した構成に限定されるものではない。すなわち、本発明の目的を逸脱しない範囲で種々の変更が可能である。
【００７２】
例えば、以上に示した実施形態では、光ディスクの再生を開始する前に発光パワー及び重畳信号振幅の最適設定値を決定する構成とした。しかしながら、発光パワー及び重畳信号振幅のうちいずれか一方についてのみ最適設定値の決定処理を行い、他方については固定値（いつも同じ条件）を使用するようにしても構わない。
【００７３】
発光パワーについてのみ最適設定値の決定処理を行う場合について、図３のステップＳ１〜Ｓ６の処理を行うようにしてもよい。図６は、発光パワーについてのみ最適設定値を決定する処理が行われる場合の別例を示すフローチャートである。図６に示す構成においては、制御装置６は、光ディスク装置１に挿入された光ディスクＤの種類に応じたレーザ駆動条件となるようにＬＤＤ１２を制御してレーザ光源４１を発光させる（ステップＳ４１）。ここでは、発光パワーの初期設定値は、製造時の評価で得られた再生可能と再生不能の境界値よりやや小さくなるように設定されている。
【００７４】
レーザ光源４１が発光されると、制御装置６はサーボ制御を開始させ、光ディスクＤの再生が可能か否かを判断する（ステップＳ４２）。再生可能か否かの判断は、上述の場合と同様に、再生信号の品質を評価可能な指標を用いて判断すればよい。この段階で再生可能であれば、初期設定値を最適設定値として決定する（ステップＳ４３）。一方、この段階で再生不能であれば、発光パワーの設定値を所定量だけ上げ（ステップＳ４４）、再度再生可能か否かを判断する（ステップＳ４２に戻る）。再生可能となるまでこのフローを繰り返し、再生可能となった時点の設定値を最適設定値に決定する。なお、この構成の場合には、発光パワーの設定値の上限を決めておき、この上限を超えないように最適設定値の決定処理を行うのが好ましい。
【００７５】
重畳信号振幅についてのみ最適設定値の決定処理を行う場合について、図３のステップＳ１〜Ｓ３、及びステップＳ３に引き続いて行われるステップＳ６〜Ｓ１０の処理を行うようにしてもよい。図７は、重畳信号振幅についてのみ最適設定値を決定する処理が行われる場合の別例を示すフローチャートである。図７に示す構成においては、制御装置６は、光ディスク装置１に挿入された光ディスクＤの種類に応じたレーザ駆動条件となるようにＬＤＤ１２を制御してレーザ光源４１を発光させる（ステップＳ５１）。ここでは、重畳信号振幅の初期設定値はゼロとなっている。
【００７６】
レーザ光源４１が発光されると、制御装置６はサーボ制御を開始させ、光ディスクＤの再生が可能か否かを判断する（ステップＳ５２）。再生可能か否かの判断は、上述の場合と同様に、再生信号の品質を評価可能な指標を用いて判断すればよい。この段階で再生可能であれば、初期設定値を最適設定値として決定する（ステップＳ５３）。一方、この段階で再生不能であれば、重畳信号振幅の設定値を所定量だけ上げ（ステップＳ５４）、再度再生可能か否かを判断する（ステップＳ５２に戻る）。再生可能となるまでこのフローを繰り返し、再生可能となった時点の設定値を最適設定値に決定する。なお、この構成の場合には、重畳信号振幅の設定値の上限を決めておき、この上限を超えないように最適設定値の決定処理を行うのが好ましい。
【００７７】
なお、重畳信号振幅についてのみ最適設定値の決定処理を行う構成の場合においても、第２実施形態の場合と同様に、一旦決定した最適設定値を補正する構成を採用しても構わない。
【００７８】
また、以上においては、光ディスク装置が再生専用である場合を示したが、本発明は、再生及び記録を行える光ディスク装置にも適用可能である。また、本発明の光ディスク装置によって再生可能な光ディスクの種類は特に限定されるものではない。更に、本発明の光ディスク装置は、複数種類の光ディスクに対応可能であるものであっても、１種類の光ディスクのみに対応するものであっても構わない。
【産業上の利用可能性】
【００７９】
本発明は、例えば光ディスクプレーヤーや光ディスクレコーダー等に適用可能である。
【符号の説明】
【００８０】
１  光ディスク装置
４  光ピックアップ
６  制御装置（制御部）
１２  レーザ駆動回路・ＬＤＤ（レーザ駆動部）
４１  レーザ光源
４３  受光部
６１  記憶部
Ｄ  光ディスク
【図１】
2012022748.tif 000003
【図３】
2012022748.tif 000004
【図４】
2012022748.tif 000005
【図５】
2012022748.tif 000006
【図６】
2012022748.tif 000007
【図７】
2012022748.tif 000008
【図２】
2012022748.tif 000009